(57)【特許請求の範囲】
【請求項１】
第１の音声通信ルートと、該第１の音声通信ルートに比べて音質が悪い１以上の第２の音声通信ルートとから、前記第１の音声通信ルートが空いている時は前記第１の音声通信ルートを、また空いていない時は前記第２の音声通信ルートを、自動的に選択して、音声通信を行うに当たり、
前記音声通信は電話機を用いる音声通信であり、
発信者により入力された、通信相手の電話番号を発信交換機の中央処理装置が受信し、さらに着信側電話機の番号情報送出要求を行った後に、
前記第２の音声通信ルートが選択された場合はその旨を、少なくとも発信者に通知し、
前記通知は、着信側電話機を呼び出す音（ＲＢＴ）が発信側電話機に届く前に開始されること
を特徴とする音声通信方法。
【請求項２】
請求項１に記載の音声通信方法において、
前記通知を、可聴音および表示の少なくとも一方により行うこと
を特徴とする音声通信方法。
【請求項３】
請求項１に記載の音声通信方法において、
前記第１の音声通信ルートが、回線交換ネットワークからなるルートであり、
前記第２の音声通信ルートが、インターネットを介するルートであること
を特徴とする音声通信方法。
【請求項４】
第１の音声通信ルートと、該第１の音声通信ルートに比べて音質が悪い１以上の第２の音声通信ルートとから、前記第１の音声通信ルートが空いている時は前記第１の音声通信ルートを、また空いていない時は前記第２の音声通信ルートを、自動的に選択して、音声通信を行うネットワーク内に設けられ、
発信者により入力された通信相手の電話番号を受信し、さらに着信側電話機の番号情報送出要求を行った後に、前記第２の音声通信ルートが選択されたか否かを検出する第１の手段と、
前記第２の音声通信ルートが選択された場合にその旨を少なくとも発信者に通知する第２の手段とを備え、
前記ネットワークが、電話機を用いるネットワークであり、
前記第２の手段が、着信側電話機を呼び出す音（ＲＢＴ）が発信側電話機に届く前に前記通知を開始する手段であること
を特徴とする通信ルート通知装置。
【請求項５】
請求項４に記載の通信ルート通知装置において、
前記第２の手段が、可聴音を発する手段であること
を特徴とする通信ルート通知装置。
【請求項６】
請求項４に記載の通信ルート通知装置において、
前記第２の手段が、前記通知用の表示部を含むことを特徴とする通信ルート通知装置。
【請求項７】
請求項４に記載の通信ルート通知装置において、
前記第１の音声通信ルートが、回線交換ネットワークからなるルートであり、
前記第２の音声通信ルートが、インターネットを介するルートであること
を特徴とする通信ルート通知装置。
【請求項８】
請求項４に記載の通信ルート通知装置を含むことを特徴とする電話交換ネットワーク。
【発明の詳細な説明】
【０００１】
【発明の属する技術分野】
この発明は、音声通信方法、その実施に好適な通信ルート通知装置および電話交換ネットワークに関するものである。
【０００２】
【従来の技術】
電子交換機を用いて音声通信を行う場合、発信者は、着信交換機および着信電話機を特定する番号を、電話機より入力する。
【０００３】
発信交換機は、この番号を分析して、着信交換機への接続ルートを決定する。具体的には、該接続ルートが実現されるように、該発信交換機に具わる多数のトランク回路の中から、特定のトランク回路を選択する。次に、発信交換機は、着信交換機に対して、着信電話機を特定するための番号情報を送る。この番号情報を送り終えると、発信交換機は、前記選択したトランク回路と、発信電話機とを接続する。トランク回路と接続された発信電話機は、着信電話機から返送されてくる、着信電話機を呼び出している音（いわゆる、リングバックトーン：ＲＢＴ）を、聞ける状態になる。
【０００４】
【発明が解決しようとする課題】
ところで、電子交換機を用いて音声通信を行う場合、発信交換機と着信交換機とを接続する通信ルートは、複数本用意されている場合が多い。然も、通信ルートの混雑具合を検知して、前記複数本の通信ルートの中から、空いている通信ルートを自動的に選択して、該選択した通信ルートを介して音声通信が行われる。
【０００５】
前記複数の通信ルートそれぞれが、同種の伝送装置を使った回線交換ネットワーク（典型的には一般の電話回線）である場合は、各通信ルートの音質は均一と見なせる。
【０００６】
しかしながら、例えば、回線交換ネットワークを用いた第１の音声通信ルートと、近い将来本格的に利用されると予想されるインターネットを介しての第２の音声通信ルートとを併用するような電話交換ネットワークを構築しようとした場合、第２の音声通信ルートの方が音質は劣ると考えられる。なぜなら、後者のルートの場合、例えば音声をパケット化して通信を行うので、パケット化に伴う遅延に起因する音質劣化が生じると考えられるからである。
【０００７】
発信者の意思で第２の音声通信ルートを選択する様な設計のネットワークであれば、上記の音質劣化は発信者が承知済みであるので、問題はない。しかし、第１の音声通信ルートが空いていない場合に第２の音声通信ルートが自動的に選択されるようなネットワークの場合は、発信者は音質の劣化の原因が判らず違和感を覚える。さらには、交換設備や通信設備に何らかの故障があるのでは等の不安をもつ。
【０００８】
このような問題は、第２の音声通信ルートがインターネットを介してのルートの場合に限らず、第２の音声通信ルートが情報を高圧縮率で圧縮する通信方法を採用したルートであったり、信号減衰率が大きい通信ルートであった場合にも生じる。
【０００９】
したがって、第１の音声通信ルートと、該ルートに比べて音質が悪い第２の音声通信ルートとから、自動的に１つのルートを選択して音声通信を行う時の、上記の問題を解決できる方法が望まれる。また、その方法を実施するために好適な装置およびネットワークが望まれる。
【００１０】
【課題を解決するための手段】
（１）そこで、この出願の音声通信方法によれば、第１の音声通信ルートと、該第１の音声通信ルートに比べて音質が悪い１以上の第２の音声通信ルートとから、第１の音声通信ルートが空いている時は該第１の音声通信ルートを、また空いていない時は第２の音声通信ルートを、自動的に選択して、音声を通信するに当たり、第２の音声通信ルートが選択された場合はその旨を、少なくとも発信者に通知することを特徴とする。
【００１１】
この音声通信方法の発明によれば、第２の音声通信ルートを介して通信がなされる場合、発信者はそのことを認識できる。したがって、もしその通信時に、音質劣化を感じても、その原因が第２の音声通信ルートが選択されたためと判る。そのため、違和感や設備故障の心配をする程度が軽減される。また、発信者は、通信相手に対して、現在の音質劣化の原因が、第２の音声通信ルートを用いているためである旨を連絡できるので、通信相手も通信状況を承知した状態で通信ができる。
【００１２】
なお、この音声通信方法の発明を実施するに当たり、第２の音声通信ルートが選択されている旨を、発信者に通知すると共に、通信相手に対しても自動的に通知する場合があってももちろん良い。
【００１３】
また、この音声通信方法の発明を実施するに当たり、前記音声通信を電話機を用いて行う場合は、着信側電話機を呼び出す音（ＲＢＴ）が発信側電話機に届く前に、前記通知を開始するのが良い。このようなタイミングで、第２の通信ルートが選択された旨を発信者に通知した方が、通話前に発信者に通知を行えるので通知する意味がより高まるといえる。また、通信の空き時間を有効に利用できる。
【００１４】
また、通知の方法は、発信者に通知できれば特に限定されない。しかし、好ましくは、可聴音および表示の少なくとも一方で行うのが良い。
【００１５】
可聴音を用いる場合は、発信者が耳に当てている電話機を利用した通知が行える。また、表示による場合は、電話機の好適な位置に一般に設けられる表示部を利用した通知が行える。
【００１６】
また、この音声通信方法の発明を実施するに当たり、前記第１の音声通信ルートを回線交換ネットワークからなるルートとし、前記第２の音声通信ルートをインターネットを介するルートとするのが好適である。
【００１７】
なぜなら、このような構成の通信ネットワークは、近い将来大きな規模をもって実現されると考えられる。然もこのような通信ネットワークでは、既に説明したようにインターネット経由の第２の音声通信ルートの音質は悪いと予想される。そのため、本発明の適用効果が顕著に発現されると考えられるからである。
【００１８】
（２）また、上述した音声通信方法を容易に実施するために以下の構成の通信ルート通知装置を用意するのが好適である。
【００１９】
すなわち、第１の音声通信ルートと、該第１の音声通信ルートに比べて音質が悪い１以上の第２の音声通信ルートとから、前記第１の音声通信ルートが空いている時は前記第１の音声通信ルートを、また空いていない時は前記第２の音声通信ルートを、自動的に選択して、音声通信を行うネットワーク内に設けられ、
前記第２の音声通信ルートが選択されたか否かを検出する第１の手段と、
前記第２の音声通信ルートが選択された場合にその旨を少なくとも発信者に通知する第２の手段と
を具えた通信ルート通知装置を用意するのが好適である。
【００２０】
（３）また、上述した音声通信方法を容易に実施するために以下の構成の電話交換ネットワークを用意するのが好適である。
【００２１】
すなわち、第１の音声通信ルートと、該第１の音声通信ルートに比べて音質が悪い１以上の第２の音声通信ルートとから、前記第１の音声通信ルートが空いている時は前記第１の音声通信ルートを、また空いていない時は前記第２の音声通信ルートを、自動的に選択して、音声通信を行う電話交換ネットワークであって、
前記第２の音声通信ルートが選択されたか否かを検出する第１の手段と、
前記第２の音声通信ルートが選択された場合にその旨を少なくとも発信者に通知する第２の手段と
を具えた通信ルート通知装置を具えた電話交換ネットワークを用意するのが好適である。
【００２２】
【発明の実施の形態】
以下、図面を参照してこの出願の音声通信方法、通信ルート通知装置および電話交換ネットワークの各発明の実施の形態について併せて説明する。なお、以下の説明に用いる各図は、これらの発明を理解できる程度に概略的に示してある。また、説明に用いる各図において、同様な構成成分については同一の番号を付して示し、その重複する説明を省略することもある。
【００２３】
１．装置構成の説明
図１は、この出願の各発明を電話交換ネットワークに適用した場合の全体図である。
【００２４】
この電話交換ネットワーク１０は、複数の電子交換機２０，４０と、それぞれの交換機２０，４０に接続されている電話機２０ａ，４０ａと、交換機２０，４０間を接続している第１の音声通信ルート６１と、第２の音声通信ルート６３とを含む。
【００２５】
なお、実際の電話交換ネットワークは、多数の電子交換機およびこれら交換機に接続された多数の電話機を有するが、図１では、それらは省略してある。また、発明の説明の都合上、電子交換機２０を発信交換機、電子交換機４０を着信交換機、電話機２０ａを発信電話機、電話機４０ａを着信電話機と、それぞれ仮定して、以下の説明を行う。
【００２６】
この電話交換ネットワーク１０において、第１の音声通信ルート６１（これを単に第１のルート６１ともいう。）は、この場合、回線交換ネットワークからなるルートである。
【００２７】
第２の音声通信ルート６３（これを単に第２のルート６３ともいう。）は、第１のルート６１に比べて音質が悪いルートであり、この場合、インターネットを介するルートである。
【００２８】
発信交換機２０は、第１のルート６１が空いている時は第１のルート６１を、また空いていない時は第２のルート６３を、自動的に選択する。
【００２９】
図２は、この交換機２０の内部構成を説明する図である。もちろん、交換機４０も発信交換機となる場合もあるので、交換機４０の内部構成もこの図２の構成とする。
【００３０】
この交換機２０は、加入者回路２１と、スイッチ回路２３と、トーン送出装置２５と、第１のトランク回路２７と、第２のトランク回路２９と、中央処理装置３１と、主記憶装置３３とを具える。
【００３１】
加入者回路２１は、電話機２０ａとスイッチ回路２５との間に設けられている。この加入者回路２１は、電話機２０ａに通話電流を供給したり、オフフック信号を検出する等を行う。この加入者回路２１は、従来公知の回路である。
【００３２】
スイッチ回路２３は、加入者回路２１、トーン送出装置２５、トランク回路２７，２９間の接続を切り換える。このスイッチ回路２５は、従来公知の回路である。
【００３３】
トーン送出装置は、電話通信で使用される可聴音を発生する公知の装置である。
【００３４】
第１のトランク回路２７は、第１の音声通信ルート６１と接続され、第２のトランク回路２９は、第２の音声通信ルート６３と接続されている。これら第１および第２のトランク回路２７，２９は、それぞれ公知のトランク回路で構成できる。
【００３５】
中央処理装置３１は、加入者回路２１と、スイッチ回路２３と、トーン送出装置２５と、第１および第２のトランク回路２７，２９と、主記憶装置３３とを、それぞれ制御する。
【００３６】
主記憶装置３３は、交換機２０の動作プログラムおよび各種のデータ等を格納している。このように格納されているデータの中に、この発明に係るデータをも含む。すなわち、第１のルート６１が空いている時は第１のルート６１を、また空いていない時は第２のルート６３を自動的に選択するためのデータ（これを、以下、迂回データと称する。）３３ａをも含む。
【００３７】
図３は、この迂回データ３３ａの構成を説明する図である。この迂回データ３３ａは、電話機２０ａから入力される電話番号ごとに、予め用意されるデータである。図３では、交換機２０と交換機４０との間での迂回データの例を示してある。この迂回データ３３ａは、第１のルート６１についてのデータ３３ａ１，第２のルート６３についてのデータ３３ａ２、・・・というようなデータ構成となっている。しかも、中央処理装置３１によって、データ３３ａ１，データ３３ａ２の順で読み出される構成としてある。また、各データ３３ａ１、３３ａ２、・・・それぞれは、トランク回路番号（ＴＧＮ）と、このトランク回路に接続されている音声通信ルートの属性、すなわちこの例では、回線交換ネットワークから成るルートか、インターネットを介してのルートかを示す情報とを含むデータとなっている。
【００３８】
この実施の形態の電話交換ネットワーク１０では、この発明でいう通信ルート通知装置３５を、中央処理装置３１と、主記憶装置３３の迂回データ３３ａと、トーン送出装置２５と、スイッチ回路２３とで構成できる。また、この通信ルート通知装置３５の、第２のルートが選択されたか否かを検出する第１の手段３５ａを、中央処理装置３１と迂回データ３３ａとで構成でき、第２のルートが選択された旨を少なくとも発信者に通知する第２の手段３５ｂを、中央処理装置３１とトーン送出装置２５とスイッチ回路２３とで構成できる。その理由は後の動作説明の項において詳細に説明するが、簡単にいえば次の通りである。
【００３９】
中央処理装置３１は、発信者が電話機２０ａを用いて入力した電話番号を、解析する。そしてこの解析結果に従い、主記憶装置３３内の着信交換機４０についての迂回データ３３ａを、データ３３ａ１から順に読む。データ３３ａ１を読んだ中央処理装置３１は、第１のトランク回路２７を選択しようとする。第１のトランク回路２７が現在選択されていなければ、そのまま第１のトランク回路２７が選択される。そのため、通信ルートは第１のルート６１になる。また、第１のトランク回路２７が現在使用中である場合、中央処理装置３１はその旨を検知して、次に迂回データ３３ａ内のデータ３３ａ２を読む。データ３３ａ２を読んだ中央処理装置３１は、第２のトランク回路２９を選択しようとする。第２のトランク回路２９が現在選択されていなければ、そのまま第２のトランク回路２７が選択される。そのため、通信ルートは第２のルート６３になる。データ３３ａ２には、このデータにより選択される通信ルートが第２のルートである旨の情報（属性）が含まれている。したがって、中央処理装置３１は第２のルートが選択されたか否かを検知する。この説明から判るように、この発明でいう第１の手段３５ａを、中央処理装置３１と迂回データ３３ａとにより構成できる。
【００４０】
また、中央処理装置３１は、第２のルートが選択されたことを上記のごとく検出すると、スイッチ回路２３を制御して、トーン送出装置２５と加入者回路２１とを接続する。これにより、トーン送出装置２５の音は、電話機２０ａを介して、発信者に伝わる。そのため、発信者に、第２のルートが選択された旨を通知できる。この説明から判るように、この発明でいう第２の手段３５ｂを、中央処理装置３１と、トーン送出装置２５と、スイッチ回路２３とにより構成できる。なお、トーン送出装置２５の代わりに、あるいはそれと併用して、ガイダンス装置および又は電話機２０ａに設けた表示装置を用いても良い。こうすると、第２のルートが選択された旨を、ガイダンスや発信者の視覚を利用して通知することができる。
【００４１】
２．動作の説明
次に、上述した電話交換ネットワーク１０でなされる、通信ルートの通知動作について、主に説明する。図４および図５は、そのための説明図であり、主に、中央処理装置３１が行う制御手順を示したフローチャートである。
【００４２】
発信者が発信電話機２０ａにより通信相手の電話番号を入力する。中央処理装置３１は、この電話番号を受信する（状態Ｓ１）。電話番号の受信を完了すると（事象Ｓ２）、中央処理装置３１は、受信した電話番号の解析をする（処理Ｓ３）。その結果、中央処理装置３１は、着信交換機４０を特定する情報を得る（処理Ｓ４）。
【００４３】
次に、中央処理装置３１は、この得られた着信交換機４０についての情報で、主記憶装置３３内の、着信交換機４０についての迂回データ３３ａを、アクセスする。そして、この迂回データ３３ａに基づいて、いずれかのトランク回路を選択する（処理Ｓ５）。
【００４４】
すなわち、中央処理装置３１は、迂回データ３３ａを、データ３３ａ１から順に読む。データ３３ａ１を読んだ中央処理装置３１は、第１のトランク回路２７を選択しようとする。第１のトランク回路２７が現在選択されていなければ、そのまま第１のトランク回路２７が選択される。そのため、通信ルートは第１のルート６１になる。また、第１のトランク回路２７が現在使用中である場合、中央処理装置３１はその旨を検知して、次に迂回データ３３ａ内のデータ３３ａ２を読む。データ３３ａ２を読んだ中央処理装置３１は、第２のトランク回路２９を選択しようとする。第２のトランク回路２９が現在選択されていなければ、そのまま第２のトランク回路２９が選択される。そのため、通信ルートは第２のルート６３になる。もちろん、トランク回線が全部ふさがっている場合は、それ相当の処理が、従来と同様に行われる。
【００４５】
第１および第２のトランク回路２７，２９のうちのいずれかが選択されると、中央処理装置３１は、この選択したトランク回路に対して、着信交換機４０への番号情報送出要求を行う（処理Ｓ６）。すなわち、着信電話機の番号情報送出要求を行う。
【００４６】
また、中央処理装置３１は、迂回データ３３ａ内に格納してある属性データから、今選択された音声通信ルートが第１のルートか第２のルートかを、検出する。さらに、選択された音声通信ルートが第２のルートであるか否かを判断する（処理Ｓ７）。
【００４７】
なお、選択された音声通信ルートが第１および第２のルートのいずれかの検出および判断は、上記の処理Ｓ５や処理Ｓ６の動作と平行に行っても良い。
【００４８】
選択された音声通信ルートが、第１のルート６１すなわち回線交換ネットワークからなるルートであった場合は、中央処理装置３１は、従来の電話交換機と同様な処理をする。すなわち、第１のトランク回路２７が着信電話機の番号情報を着信交換機４０に送出し終えるのを待つ（状態Ｓ８）。送出完了したら（事象Ｓ９）、中央処理装置３１は、スイッチ回路２３を制御して、加入者回路２１とトランク回路（この場合は、第１のトランク回路２７）とを、接続する（処理Ｓ１０）。これにより、電話機２０ａを通話状態にできる（状態Ｓ１１）。
【００４９】
一方、選択された音声通信ルートが、第２のルートすなわちインターネットを介するルートであった場合は、その旨を少なくとも発信者に通知する。この通知をこの実施の形態の場合は、発信者がＲＢＴを聞く前に開始する。しかも、この通知を、トーン送出装置２５から発生される可聴音によって、発信者に聞かせる。具体的には、以下のように行う。
【００５０】
まず、中央処理装置３１は、自らが内蔵するタイマ（別途に用意されたタイマでももちろん良い。）を所定の値に設定する（処理Ｓ１２）。この所定の値は、第２のルートが接続された旨を発信者にどのくらいの時間通知するかに応じて決める。中央処理装置３１は、この設定された時間の計数を開始する。
【００５１】
また、中央処理装置３１は、前記タイマに所定時間を設定し終えると、スイッチ回路２３を制御して、加入者回路２１とトーン送出装置２５とを接続する（処理Ｓ１３）。これにより、発信交換機２０は、発信者に対して、第２のルートが選択された旨を通知する通知動作実行状態になる（状態Ｓ１４）。
【００５２】
通知動作実行状態でのトーン送出装置２５から出力する通知音の周波数や断続のさせ方等は、発信者への通知が確実に行えるように、任意に設定できる。
【００５３】
なお、この通知動作実行状態中においては、中央処理装置３１は、この実施の形態の場合、（１）上記のタイマのタイムアウト前に、第２のトランク回路２９から番号情報送出完了信号を受ける第１の事象（事象Ｓ１５）と、（２）上記のタイマのタイムアウト前に、着信交換機４０からの応答を受ける第２の事象（事象Ｓ１９）と、（３）第２のトランク回路２９から番号情報送出完了信号および着信交換機４０からの応答いずれも受ける前に、上記のタイマがタイムアウトする第３の事象（事象Ｓ２０）という、３つの事象うちののいずれかの事象に遭遇する。
【００５４】
上記の第１の事象に遭遇した場合（事象Ｓ１５）は、中央処理装置３１は、上記のタイマのタイムアウトを監視しながら、着信交換機４０から応答を待つ（状態Ｓ１６）。この時、着信交換機４０からの応答があると（事象Ｓ１７）、処理Ｓ１０の処理に移る。また、着信交換機４０からの応答がある前に上記タイマがタイムアウトした場合（事象Ｓ１８）も、処理Ｓ１０の処理に移る。
【００５５】
また、上記の第２の事象に遭遇した場合（事象Ｓ１９）は、中央処理装置３１は、処理Ｓ１０の処理に移る。
【００５６】
また、上記の第３の事象に遭遇した場合（事象Ｓ２０）は、中央処理装置３１は、スイッチ回路２３を制御して、加入者回路２１とトーン送出装置２５との間を開放（非接続状態）にする（処理Ｓ２１）。この第３の事象の場合は、第２のトランク回路２９がまだ着信電話機の番号情報を着信交換機４０に送出しているので、処理Ｓ６に対する処理が終了するを持つ（状態Ｓ８）。
【００５７】
これら第１、第２または第３の事象に対する上記の所定の処理が済むと、加入者回路２１と、第１のトランク回路２７または第２のトランク回路２９とが接続された状態（状態Ｓ１１）となる。
【００５８】
上述した説明から明らかなように、この出願の音声通信方法、通信ルート通知装置および電話交換ネットワークの各発明によれば、音声通信ルートとして第２の通信ルートが選択された場合、その旨を少なくとも発信者に通知することができる。しかも、上述の実施の形態では、発信者がＲＢＴを聞く前に、第２の通信ルートが選択された旨の通知が発信者になされる。したがって、発信者は音質の悪い通信ルートが選択されたことを通話前に認識できるので、不意に通話品質の異常が生じても、不安や通信設備の心配を防止することができる。
【００５９】
なお、この出願の各発明は上述の実施の形態に何ら限定されるものではなく、多くの変形および変更を行うことができる。
【００６０】
例えば上述の実施の形態では、第１の音声通信ルートが回線交換ネットワークからなるルートであり、かつ、第２の音声通信ルートがインターネットを介するルートである例を説明したが、第１および第２の音声通信ルートは、これらの例に限られない。例えば、第２の音声通信ルートが、第１の音声通信ルートと比べて、情報圧縮率が高いために音質が悪いルートであったり、信号減衰率が高いために音質が悪いルート等の場合にも、これら発明を適用することができる。
【００６１】
また、第２の音声通信ルートが２以上ある場合にも、こらら発明を適用することができる。
【００６２】
また、上述の実施の形態で説明した第２の通信ルートが選ばれた旨の通知の手順は、本発明の範囲内の一例にすぎない。第２の通信ルートが選ばれた旨の通知の手順は、この発明の目的を損ねない範囲で任意好適な手順に変更することができる。
【００６３】
【発明の効果】
上述した説明から明らかなように、この出願の音声通信方法の発明によれば、第１の音声通信ルートと、該第１の音声通信ルートに比べて音質が悪い１以上の第２の音声通信ルートとから、第１の音声通信ルートが空いている時は該第１のルートを、また空いていない時は第２の音声通信ルートを、自動的に選択して、音声を通信するに当たり、第２の音声通信ルートが選択された場合はその旨を、少なくとも発信者に通知する。
【００６４】
そのため、第２の音声通信ルートを介して通信がなされる場合、発信者はそのことを認識できる。したがって、もしその通信時に、音質劣化を感じても、その原因が第２の音声通信ルートが選択されたためと判る。そのため、発信者が違和感や設備故障の心配をする程度が軽減される。
【００６５】
また、この出願の通信ルート通知装置および電話交換ネットワークによれば、第１の音声通信ルートと、該第１の音声通信ルートに比べて音質が悪い１以上の第２の音声通信ルートとから、第１の音声通信ルートが空いている時は該第１のルートを、また空いていない時は第２の音声通信ルートを、自動的に選択して、電話機を用いて通信するに当たり、第２の音声通信ルートが選択された場合はその旨を、少なくとも発信者に自動的に通知できる。そのため、音声通信方法の上記発明を容易に実施することができる。
【図面の簡単な説明】
【図１】実施の形態の説明図であり、ネットワークの全体構成を説明する図である。
【図２】実施の形態の説明図であり、交換機の構成を説明する図である。
【図３】実施の形態の説明図であり、音声通信ルートの選択に使用する迂回データの説明図である。
【図４】実施の形態の電話交換ネットワークの動作説明図である。
【図５】実施の形態の電話交換ネットワークの動作説明図である。
【符号の説明】
１０：実施の形態の電話交換ネットワーク
２０：交換機（発信交換機）
２０ａ：電話機（発信電話機）
２１：加入者回路
２３：スイッチ回路
２５：トーン送出装置
２７：第１のトランク回路
２９：第２のトランク回路
３１：中央処理装置
３３：主記憶装置
３３ａ，３３ａ１，３３ａ２：迂回データ
３５：通信ルート通知装置
３５ａ：第１の手段
３５ｂ：第２の手段
４０：交換機（着信交換機）
４０ａ：電話機（着信電話機）
６１：第１の音声通信ルート
６３：第２の音声通信ルート
【図１】
0003838759.tif 000002
【図２】
0003838759.tif 000003
【図３】
0003838759.tif 000004
【図４】
0003838759.tif 000005
【図５】
0003838759.tif 000006